(57)【要約】【課題】鉄骨加工から建込みまでの耐震補強工事を、十分な強度に仕上げ、しかも従来に比べて短期間で完了可能にする。【解決手段】既設構造物の躯体フレームに沿うように据え付けられる鉄骨枠と、該鉄骨枠内に架設された鉄骨ブレースとを備える耐震パネルであって、前記鉄骨枠のコーナ部に配設されるコーナブラケットとこれらのコーナ部に対抗する側の梁部材中央部に配設されるセンタブラケットで構成され、前記鉄骨ブレースとの接合面を円弧状に形成すると共に、前記鉄骨ブレースの両端側も前記コーナブラケットまたはセンタブラケットに対向して円弧状に形成され、前記コーナブラケットと前記センタブラケットの間に角筒型鋼材からなる鉄骨ブレースを架設する【選択図】図１
2005171569.tif 000002
【特許請求の範囲】
【請求項１】
既設構造物の躯体フレームに沿うように据え付けられる鉄骨枠と、該鉄骨枠内に架設された鉄骨ブレースとを備える耐震パネルであって、
前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたはセンタブラケットに相対向して円弧状に形成されてなり、
前記鉄骨ブレースと前記コーナブラケットまたは前記センタブラケットとを相対向する円弧状面で溶け込み溶接して前記コーナブラケットと前記センタブラケットの間に角筒型鋼材からなる鉄骨ブレースを架設し、前記梁部材とともにＫ型ブレースを構成することを特徴とする耐震パネル。
【請求項２】
既設構造物の躯体フレームに沿うように据え付けられる鉄骨枠と、該鉄骨枠内に架設された鉄骨ブレースとを備える耐震パネルであって、
前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたはセンタブラケットに相対向して円弧状に形成されてなり、
前記鉄骨ブレースと前記コーナブラケットまたは前記センタブラケットとを相対向する円弧状面で溶け込み溶接すると共に該接合部に一対の連結鋼板を溶着して、前記コーナブラケットと前記センタブラケットとの間に角筒型鋼材からなる鉄骨ブレースを架設し、前記梁部材とともにＫ型ブレースを構成することを特徴とする耐震パネル。
【請求項３】
既設構造物の躯体フレームに沿うように据え付けられる鉄骨枠と、該鉄骨枠内に架設された鉄骨ブレースとを備える耐震パネルであって、
前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたは前記センタブラケットに相対向して円弧状に形成されてなり、
前記鉄骨ブレースと前記コーナブラケットまたは前記センタブラケットとを相対向する円弧状面で当接すると共に該接合部に前記鉄骨ブレースの両端側にピン軸を備えたピン付連結鋼板を配置し、該連結鋼板のピン軸を前記コーナブラケットまたは前記センタブラケットに設けられたピンに装着して前記コーナブラケットと前記センタブラケットの間に角筒型鋼材からなる鉄骨ブレースを架設し、前記梁部材とともにＫ型ブレースを構成することを特徴とする耐震パネル。
【請求項４】
既設構造物の躯体フレームに沿うように据え付けられる鉄骨枠と、該鉄骨枠内に架設された鉄骨ブレースとを備える耐震パネルであって、
前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたは前記センタブラケットに相対向して円弧状に形成されてなり、
前記鉄骨ブレースの両端側と前記コーナブラケットまたは前記センタブラケットとの相対向する円弧状面に十字型継ぎ手を取着すると共に、該十字型継手同士を突合せ、添え板を介してボルトで締め付けて前記コーナブラケットと前記センタブラケットの間に角筒型鋼材からなる鉄骨ブレースを架設し、前記梁部材と共にＫ型ブレースを構成することを特徴とする耐震パネル。
【発明の詳細な説明】
【技術分野】
【０００１】
本発明は、鉄筋コンクリート造や鉄骨鉄筋コンクリート造の既設構築物の耐震補強に用いられる耐震パネルに関する。
【背景技術】
【０００２】
建物等の既設構造物に対する耐震性向上の必要性から、今日では、特に、現行基準に対して不適格となる多くの既設の鉄筋コンクリート造や鉄骨鉄筋コンクリート造の各構築物に対して、耐震補強工事が行われるようになった（例えば、特許文献１参照）。一方、このような構築物の耐震補強のために、従来からＲＣ造などの既設構築物のフレーム内に、新たにブレース（補強部材）を増設する工法が広く採用されている。このブレースを増設する工法では、既設構造物の耐震診断を行った上でブレースの形状、サイズ、強度について十分に検討し、補強工事に必要な設計図を作成し、必要とする鋼材や組立部品を用意して設計図にもとづく施工が行われる。
【特許文献１】特開２００１−０９０３５２号公報
【発明の開示】
【発明が解決しようとする課題】
【０００３】
しかしながら、従来の設計図等に基づく耐震補強工事では、施工に掛かるまでに耐震診断、耐震強度計算などの作業のほかに、耐震補強工事用の設計図の作成、工場での鉄骨加工などに多大な日時を費してしまう。例えば学校の夏休み期間中に校舎、体育館など、窓が多数ある既設構造物に耐震補強の工事をしようとする場合には、約２０日間内に建込み完了しなければならないという時間的な制約があった。これまでの耐震補強方法では、施設の現状に対応する耐震補強工事に迅速に施行するこが困難であるだけでなく、すべての躯体フレームに十分な耐震補強の工事を施すことが難しいという問題があった。
【０００４】
本発明はこのような従来の問題を解決するものであり、鉄骨加工から建込みまでを含め耐震補強工事を十分な強度に仕上げ、しかも従来に比べて短期間で完了できるようにし、工事完了後も構築物内での一般業務や作業に影響しない採光率を確保できる耐震パネルを提供するものである。
【課題を解決するための手段】
【０００５】
請求項１の発明にかかる耐震パネルは、既設構造物の躯体フレームに沿うように据え付けられる鉄骨枠と、該鉄骨枠内に架設された鉄骨ブレースとを備える耐震パネルであって、前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたはセンタブラケットに相対向して円弧状に形成されてなり、前記鉄骨ブレースと前記コーナブラケットまたは前記センタブラケットとを相対向する円弧状面で溶け込み溶接して前記コーナブラケットと前記センタブラケットの間に角筒型鋼材からなる鉄骨ブレースを架設し、前記梁部材とともにＫ型ブレースを構成することを特徴とする。
【０００６】
請求項１によれば、前記鉄骨ブレースの両端面も、これに対向する前記コーナブラケットまたはセンタブラケットの接合面も、緩やかな円弧状に形成されていることにより、略密接状態で当接され、鉄骨ブレースのコーナブラケットまたはセンタブラケットに対する接合位置決めを的確に行うことができる。また、円弧状面同士が当接するので、接合に相互に大きな隙間を生じることなく、略密接状態での調節または設定することができる。従って、当接位置を微調整すると共に溶接が容易に行うことができる。
【０００７】
また、各鉄骨ブレースの張力を各ブラケットの円弧状の屈曲面で受止めることによつて、力を分散させめことができる。これによって、各鉄骨ブレースの端部をコーナブラケットとセンタブラケットの当接位置の耐震性を高めることができる。
【０００８】
さらに、角筒型鋼材からなる鉄骨ブレースが架設一体化された鉄骨枠は、既設構築物の躯体フレーム内側や外側に据え付けられて、この躯体フレームを補強し、耐震性を高める。さらにまた、鉄骨ブレースが角筒型であるため、Ｈ型鋼等を使用した従来の鉄骨ブレースで必要となる座屈防止用の補強材を、その鉄骨ブレースと鉄骨枠コーナ部との間に架設する必要がなくなり、その補強材の溶接作業などの工数等を削減できる。また更に、Ｋ型ブレースは鉄骨枠全体の補強を図り、特に、梁部材の支持強度を高め、従って既設構造物の躯体フレームを安定保持し、これを補強することができる。
【０００９】
請求項２の発明にかかる耐震パネルは、既設構造物の躯体フレームに沿うように据え付けられる鉄骨枠と、該鉄骨枠内に架設された鉄骨ブレースとを備える耐震パネルであって、前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたはセンタブラケットに相対向して円弧状に形成されてなり、前記鉄骨ブレースと前記コーナブラケットまたは前記センタブラケットとを相対向する円弧状面で溶け込み溶接すると共に該接合部に一対の連結鋼板を溶着して、前記コーナブラケットと前記センタブラケットとの間に角筒型鋼材からなる鉄骨ブレースを架設し、前記梁部材とともにＫ型ブレースを構成することを特徴とする。
【００１０】
請求項２によれば、請求項１に加えて、前記各鉄骨ブレースの端部を、コーナブラケットとセンタブラケットの接合部に一対の連結鋼板を当てがって、溶接により鉄骨ブレースを簡単に固着するので、接合強度を一段と強くする。
【００１１】
また、前記一対の連結鋼板が鉄骨ブレースと、前記コーナブラケットまたはセンタブラケットに対し溶け込み溶接により固定されているので、長尺の角筒型鋼材を鉄骨ブレースとして使用しても、コーナブラケットやセンタブラケットを介して鉄骨枠を一段と補強できる。
【００１２】
請求項３の発明に係る耐震パネルは、、既設構造物の躯体フレームに沿うように据え付けられる鉄骨枠と、該鉄骨枠内に架設された鉄骨ブレースとを備える耐震パネルであって、前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたは前記センタブラケットに相対向して円弧状に形成されてなり、前記鉄骨ブレースと前記コーナブラケットまたは前記センタブラケットとを相対向する円弧状面で当接すると共に該接合部に前記鉄骨ブレースの両端側にピン軸を備えたピン付連結鋼板を配置し、該連結鋼板のピン軸を前記コーナブラケットまたは前記センタブラケットに設けられたピンに装着して前記コーナブラケットと前記センタブラケットの間に角筒型鋼材からなる鉄骨ブレースを架設し、前記梁部材とともにＫ型ブレースを構成することを特徴とする。
【００１３】
請求項３によれば、前記鉄骨ブレースの両端側にピン軸を備えた一対のピン付連結鋼板を装着することから、これらの連結鋼板がセンタブラケットとコーナブラケットに設けられたピンに回動可能に軸支される。これにより、各鉄骨ブレースの端部をコーナブラケットとセンタブラケットの当接位置を微調整することができる。鉄骨ブレースをピン付連結鋼板を固定することによって、鉄骨ブレース長をコーナブラケットとセンタブラケットと野取り付け概観の見栄えがよくなる。
【００１４】
また、前記鉄骨ブレースの両端側が、前記コーナブラケットまたはセンタブラケットに対し円弧面で接合されるので、これにより、鉄骨ブレースのコーナブラケットまたはセンタブラケットに対する接合位置を、相互に大きな隙間を生じることなく、略密接条件で鉄骨ブレースの全体を各センタブラケットの円弧面に対し回動自在に支持させることができる。
【００１５】
請求項４の発明にかかる耐震パネルは、既設構造物の躯体フレームに沿うように据え付けられる鉄骨枠と、該鉄骨枠内に架設された鉄骨ブレースとを備える耐震パネルであって、前記鉄骨枠の上下いずれかのコーナ部に配設されるコーナブラケットとこれらのコーナ部に対抗する側の梁部材中央部に配設されるセンタブラケットの前記鉄骨ブレースとの接合面を円弧状に形成すると共に、前記鉄骨ブレースの両端側も前記コーナブラケットまたは前記センタブラケットに相対向して円弧状に形成されてなり、前記鉄骨ブレースの両端側と前記コーナブラケットまたは前記センタブラケットとの相対向する円弧状面に十字型継ぎ手を取着すると共に、該十字型継手同士を突合せ、添え板を介してボルトで締め付けて前記コーナブラケットと前記センタブラケットの間に角筒型鋼材からなる鉄骨ブレースを架設し、前記梁部材と共にＫ型ブレースを構成することを特徴とする。
【００１６】
請求項４によれば、請求項１に加えて、さらに、各鉄骨ブレースの両端部に十字継ぎ手が取着されているので、この端部をコーナブラケットとセンタブラケットに取着されている十字継ぎ手とを突き合わせることにより、所定位置で容易に連結することができ、各鉄骨ブレースの配設と接合を簡単に固着することができる。
【００１７】
更にまた、前記鉄骨ブレースが前記コーナブラケットまたはセンタブラケットに対しボルトで締め付けることによって、鉄骨ブレース長をコーナブラケットとセンタブラケットとに届く長さに任意に延長することができる。しかも、鉄骨ブレースが分解されているので、施工現場に持参して組み立てることができる。
【００１８】
前記センタブラケットの前記円弧状側に前記前記鉄骨ブレースとの連結を可能にする十字継手が配置されていのことにより、前記請求項１に加えて、十字型継手を介して鉄骨ブレースをコーナブラケットやセンタブラケットの連結に微調整が可能とすることができ、かつ必要とするブレース長を十分な耐座屈強度を得ながら確保できる。
【発明の効果】
【００１９】
本発明の耐震パネルは、既設構造物の躯体フレームに対し、この躯体フレームに適合する鉄骨枠とこれの内部に架設された角筒型ブレースとからなるパネルを取り付けることで、既設構築物の耐震補強の工事を、詳細な設計図を準備しなくても施行工事を行うことがきるという利点が得られる。
【００２０】
本発明の耐震パネルは、前記鉄骨枠の上下いずれかの２つのコーナ部に配設されるコーナブラケットと、これらのコーナブラケットに対抗する側の梁部材中央部に配設されるセンタブラケットとの接合面が緩やかな円弧状を形成されているので、略密接状態での接合を調節または設定することができる。これによって、各鉄骨ブレースの端部をコーナブラケットとセンタブラケットの当接位置を微調整し、接合が容易に行うことができる。
【００２１】
さらに、鉄骨ブレースの取り付けが容易であるだけでなく、取り付ける際の現場での微調整が可能となる。このため詳細な設計図をあらかじめ準備しなくても既設構築物の耐震補強の工事が可能となる。
【発明を実施するための最良の形態】
【００２２】
以下に、本発明の実施の形態を図について説明する。図１〜図６は第１の実施態様を説明する図である。図７〜図１２は第２の実施態様を説明する図である。図１３〜図１８は第３の実施態様を説明する図である。図１３〜図１８は第４の実施態様を説明するも図ある。
【００２３】
（第１の実施例）
図１は本発明に係る第１の実施態様例を示す耐震パネルの正面図、図２は図１のＡ−Ａ線断面図、図３は図１のＢ−Ｂ線断面図、図４は図１のＣ−Ｃ線断面図、図５は図１に示す鉄骨ブレースの取付構造を示す要部の断面図、図６は図１のＤ−Ｄ線断面図である。
【００２４】
第１の実施態様に示す耐震パネルは、図１に示すように、矩形状の鉄骨枠１と、この鉄骨枠１に装着される鉄骨ブレース２，２と、この鉄骨ブレース２，２を支持するコーナブラケット８，９並びにセンタブラケット１０から構成される。鉄骨枠１は、施工する躯体フレームに装着する左右の各柱部材４，５と上下の梁部材６，７をほぼ矩形枠に連結した構造のもので、左右両端が溶け込み溶接などの固着手段で連結されている。
この鉄骨枠１の上下方の梁部材のいずれかのコーナ部に配設されるコーナブラケット８，９とこのブラケット８，９に対向する上下方の梁部材６，７の中央部にセンタブラケット１０が配設される。この実施形態では、左右の各柱部材４，５と上下の梁部材６，７は、略ｈ字状のＨ型鋼材に複数本のスタッド１１をほぼ等間隔に取り付けられている。
【００２５】
上方の梁部材６は、図１，図２に示すように、左右に２分された部材６ａ、６ｂからなり、これらがセンタブラケット１０を挟んで水平方向に連結されている。
センタブラケット１０は、上記各部材６ａ、６ｂが外側面に溶接で連結され、対応する２つの緩やかな凸型円弧面Ｐ，Ｐを形成した大形の略Ｕ字形鋼材１２で構成されている。略Ｕ字形鋼材１２の上部は、上記各部材６ａ、６ｂと同様にｈ字状をなすＨ型鋼材で構成される。なお、このセンタブラケット１０にも、前記Ｈ型鋼材に設けられたものと同様のスタッド１１が植設されている。
【００２６】
また、各コーナブラケット８，９は、、図１，図３に示すように、下方の梁部材７の両端部と柱部材４，５の下端部にその外側面が溶着されている略Ｌ字型鋼材１３，１３で構成される。このＬ字型鋼材１３，１３はそれぞれ緩やかな凸型円弧面Ｇ，Ｇを形成した状態でそれぞれ溶着されている。ここでコーナブラケット８，９の凸型円弧面Ｇ，Ｇとセンタブラケット１０の凸型円弧面Ｐ，Ｐとは、相対向して配置され、かつ対向して略同一の曲率面を形成している。また、鉄骨ブレース２，２の凹型円弧面Ｒ，Ｒ，Ｒ，Ｒもこれに対応する曲率を備えている。このため鉄骨ブレース２のコーナブラケット８，９またはセンタブラケット１０に対する接合位置を、相互に大きな隙間を生じることなく、略密接状態で当接することができる。これによって鉄骨ブレース２，２の調節または設定を容易にすることができる。なお、コーナブラケット８，９にも、前記Ｈ型鋼材に設けられたものと同様のスタッド１１が植設されている。
【００２７】
このような構成の鉄骨枠１は、補強を必要とする既設構築物の躯体フレームのサイズ、形状に合った柱部材４，５および梁部材６，７用の構成部材が選択されて、溶接などの固着手段によって連結され、全体として所定のサイズ、形状に組み付けられる。
【００２８】
次に、鉄骨ブレース２，２と各ブラケット８，９との接合は、図１及び図５に示すように、両端側に上記各ブラケット８，９，１０の円弧状の各側面に対応する凹型曲面Ｒが形成されいる。両端側の対向する円弧状の各側面Ｒ，Ｇ同士を突き合せて溶け込み溶接１４によって固定されている。溶接１４は、同一曲面率を有しているので、略密接状態でセンタブラケット１０とコーナブラケット８，９との間の角度に応じてスライドされ、微調整され、上記各ブラケット８，９，１０の円弧状の曲面と各側面鉄骨ブレース２の曲面を突き合せて溶け込み溶接で接合される。このため、施工現場で容易に微調整できるので、詳細な設計図なしで施工工事がおこなえる。
【００２９】
従って、鉄骨ブレース２は梁部材６，７に対する結合角度を任意に調整できる。この結果、最適のブレース剛性が得られる結合角度にて鉄骨ブレース２，２をコーナブラケット８，９のＬ字型鋼材１３，１３に当接し溶け込み溶接で固定することができる。また、曲面同士の接合で構面の耐力を最大限に惹き出すことができる。特に、角筒型鋼材の下端面は、ブラケット８，９の緩やかな凸型円弧状面Ｇと接触できる凹型円弧面Ｒを略同一曲面率で形成し、Ｌ字状鋼材１３，１３の前記円弧面Ｇに対し略密接状態で位置調整され、適切な位置で溶接されている。
このように、本実施態様は、鉄骨ブレース２，２を耐座屈強度が極めて高い角筒型鋼材を中心として構成し、接合における長さ調整や傾き調整を、工場施工での溶接作業性が良い。
【００３０】
本発明の耐震パネルを、耐震補強に用いるには、まず、既設構造物の躯体フレームに適合する鉄骨枠１を準備する。この鉄骨枠１は、前記のように柱部材４，５や梁部材６にセンタブラケット１０やコーナブラケット８，９が装着される。これらのセンタブラケット１０やコーナブラケット８，９は、鉄骨枠１のサイズに対応して任意長の鉄骨ブレース２，２を最適の強度で取り付けるのに用いられる。
【００３１】
前記第１の実施の形態では、センタブラケット１０の円弧状の凸型曲面Ｐ，Ｐに、鉄骨ブレース２の凹型曲面Ｒ，Ｒ，Ｒ，Ｒと共に傾きを調整できるようにしてあるため、梁部材６の角度に対応して、強度的に最適の長さ、傾きで鉄骨ブレース２，２の他端をコーナブラケット８，９に溶接することができる。
【００３２】
また、前記第１の実施形態の耐震パネルを用いた耐震補強では、既存設計図にて施工契約した後に、耐震パネルの鉄骨枠を先行製作することによって、長さ調整可能な鉄骨ブレースの取り付けのみで短期納入を実現できる。従来の鉄骨ブレースに関しては、Ｈ型鋼材を中心とする設計が殆どであり、この場合には鉄骨ブレースの座屈防止部材を別途必要になる。
【００３３】
第１の実施形態のように鉄骨ブレースとして鉄骨ブレースを採用することで、別に座屈防止部材を用意しなくても十分な耐座屈強度を確保できる。また、鉄骨ブレースをＫ型ブレースとした場合には、パネル面の一部のみ塞がるため、採光率が悪化することがなく、また外観を大きく損ねることはない。
【００３４】
このように、第１の実施態様によれば、既設構造物の躯体フレームに沿うように据え付けられる鉄骨枠１と、該鉄骨枠１内に架設された角筒型鋼材からなる鉄骨ブケース２，２とを備えることによって、詳細な設計図を準備しなくても、また設計図通りの施工でなくても、耐震パネルを既設構築物に対し簡単かつ短納期にて施工することができる。また、施工された耐震パネルは開口部の一部のみが塞ぐのみであり、従って必要とする採光率を十分に確保できる。また、施工後の外観が劣化するのを最小限に抑えることができる等の利点が得られる。
なお、本実施の態様では、躯体フレームとの取り付け例について、在来工法、接着工法である枠付Ｋブレース工法のみならず、外付ブレース工法にも随時適用することができる。
【００３５】
（第２の実施例）
図７は本発明に係る第２の実施例を示す耐震パネルの正面図、図８は図７のＥ−Ｅ線断面図、図９は図７のＦ−Ｆ線断面図、図１０は図７のＧ−Ｇ線断面図、図１１は図７に示す鉄骨ブレースの取付構造を示す要部の断面図、図１２は図７のＨ−Ｈ線断面図である。
第２の実施態様に係る耐震パネルは、上記鉄骨ブレース２，２を上記センタブラケット１０と上記コーナブラケツト８，９に連結するのを、各連結部の溶け込み溶接と共に該連結部に一対の連結鋼板を配置して、上記鉄骨ブレース２，２をセンタブラケット１０とコーナブラケツト８，９に連結したものである。この実施態様の詳細は図７〜図１３に示す通りである。各図において、図１〜図６と同一部分は同一符号を付して説明を省略する。この第２の実施態様は既設設備が大規模なため大型の鉄骨ブレースを使用する場合に有効である。
【００３６】
本発明の耐震パネルは、図７に示すように、矩形状の鉄骨枠１と、この鉄骨枠１に装着される鉄骨ブレース２，２と、この鉄骨ブレース２，２を支持するコーナブラケット８，９並びにセンタブラケット１０と、ピン付連結鋼板１８から構成される。鉄骨枠１は、施工する躯体フレームに装着する左右の各柱部材４，５と上下の梁部材６，７をほぼ矩形枠に連結した構造のもので、左右両端が溶接などの固着手段で連結されている。
この鉄骨枠１の上下方の梁部材のいずれかのコーナ部に配設されるコーナブラケット８，９とこのブラケット８，９に対向する上下方の梁部材６，７の中央部にセンタブラケット１０が配設される。この実施例では、左右の各柱部材４，５と上下の梁部材６，７は角筒型鋼材で構成され、外周に覆鋼板１６が装着されている。
【００３７】
上方の梁部材６は、図７，図８に示すように、左右に２分された部材６ａ、６ｂからなり、これらがセンタブラケット１０を挟んで水平方向に連結されている。
センタブラケット１０は、上記各部材６ａ、６ｂが外側面が連結され、対応する２つの緩やかな凸型円弧面Ｐ，Ｐを形成した大形の略Ｕ字形鋼材１２で構成されている。略Ｕ字形鋼材１２の上部は、上記各部材６ａ、６ｂと同様に角筒型鋼材で構成され、外周に覆鋼材１６が装着されている。
【００３８】
また、コーナブラケット８，９は、、図１，図３に示すように、下方の梁部材７の両端部と柱部材４，５の下端部にその外側面が溶着されている略Ｌ字型鋼材１３，１３で構成される。このＬ字型鋼材１３，１３はそれぞれ緩やかな凸型円弧面Ｇ，Ｇを形成し状態でそれぞれ溶着されている。ここでコーナブラケット８，９の凸型円弧面Ｇ，Ｇとセンタブラケット１０の凸型円弧面Ｐ，Ｐとは、相意向対向して配置され、かつ対向して略同一の曲率面を形成する。また、鉄骨ブレース２，２の凹型円弧面Ｒ，Ｒ，Ｒ，Ｒも対応する曲率を備えている。このため鉄骨ブレース２のコーナブラケット８，９またはセンタブラケット１０に対する接合位置を、相互に大きな隙間を生じることなく、略密接状態で当接することができる。これによって鉄骨ブレース２，２の調節または設定を容易にすることができる。
【００３９】
このような構成の鉄骨枠１は、補強を必要とする既設構築物の躯体フレームのサイズ、形状に合った柱部材４，５および梁部材６，７用の構成部材が選択されて、溶接などの固着手段によって連結され、全体として所定のサイズ、形状に組み付けられる。
【００４０】
次に、鉄骨ブレース２，２と各ブラケット８，９，１０は、図７及び図１２に示すように、角筒型鋼材からなり、両端側に上記各ブラケット８，９，１０の円弧状の各側面に対応する凹型曲面Ｒが形成されいる。両端側の対向する円弧状の各側面Ｒ，Ｇ同士を突き合せ溶け込み溶接地をすると共に一対の連結鋼板１６を当接し溶接によって両者を固定する。上記鉄骨ブレース２，２を上記センタブラケット１０と上記コーナブラケツト８，９に連結するのは、各連結部に溶け込み溶接と共に一対の連結鋼板を配置して、上記鉄骨ブレース２，２をセンタブラケット１０とコーナブラケツト８，９に連結する。連結鋼板１７の溶接は、センタブラケット１０とコーナブラケット８，９との間の角度に応じて、微調整し、上記各ブラケット８，９，１０の円弧状の曲面と各側面鉄骨ブレース２の曲面を突き合せて溶接される。このため、施工現場で微調整できるので、詳細な設計図なしで施工工事がおこなえる。この第２の実施形態は、第１の実施形態より大型の既設構造物の躯体フレームの耐震工事に施す場合、或いは鉄骨ブレースに強度がさらに必要な場合に効果がある。
【００４１】
従って、鉄骨ブレース２は、梁部材６，７に対する結合角度を任意に調整できる。この結果、最適のブレース剛性が得られる結合角度にて鉄骨ブレース２の下端をコーナブラケット８，９のＬ字型鋼材１３，１３に当接させ溶接固定することができる。曲面の場合で、構面の耐力を最大限に惹き出すことができる。特に、角筒型部材の下端面は、ブラケット８，９の緩やかな円弧状面Ｇと接触できる円弧面Ｒを略同一力率で形成し、Ｌ字状鋼材１３，１３の前記円弧面Ｇに対し略密接状態で位置調整され、適切な位置で溶接されている。
このように、第２の実施態様は、鉄骨ブレース２，２を耐座屈強度が極めて高い角筒型鋼材を中心として構成し、接合における長さ調整や傾き調整を、現場施工での簡単な溶接作業によって行う点に特徴を有する。
【００４２】
第２の実施態様に係る耐震パネルを、耐震補強に用いるには、まず、既設構造物の躯体フレームに適合する鉄骨枠１を準備する。この鉄骨枠１は、前記のように柱部材４，５や梁部材６にセンタブラケット１０やコーナブラケット８，９が装着される。これらのセンタブラケット１０やコーナブラケット８，９は、鉄骨枠１のサイズに対応して任意長の鉄骨ブレース２，２を最適の強度で取り付けるのに用いられる。
【００４３】
前記第２の実施の形態では、センタブラケット１０の円弧状の凸曲面Ｐに、鉄骨ブレース２の凹曲面Ｒと共に傾きを調整できるようにしてあるため、梁部材６の角度に対応して、強度的に最適の長さ、傾きで鉄骨ブレース２，２の他端をコーナブラケット８，９に溶接することができる。
【００４４】
また、前記第２の実施形態の耐震パネルを用いた耐震補強では、既存設計図にて施工契約した後に、耐震パネルの鉄骨枠を先行製作することによって、長さ調整可能な鉄骨ブレースの取り付けのみで短期納入を実現できる。従来の鉄骨ブレースに関しては、Ｈ型鋼材を中心とする設計が殆どであり、この場合には鉄骨ブレースの座屈防止部材を別途必要になる。
【００４５】
本第２の実施の形態のように鉄骨ブレースとして角筒型ブレースを採用することで、別に座屈防止部材を用意しなくても十分な耐座屈強度を確保できる。また、鉄骨ブレースをＫ型ブレースとした場合には、パネル面の一部のみ塞がるため、採光率が悪化することがなく、また外観を大きく損ねることはない。
【００４６】
このように、本第２の実施態様では、既設構造物の躯体フレームに沿うように据え付けられる鉄骨枠１と、該鉄骨枠１内に架設された角筒型鋼材からなる鉄骨ブレース２コンマ２とを備えることによって、詳細な設計図を準備しなくても、また設計図通りの施工でなくても、耐震パネルを既設構築物に対し簡単かつ短納期にて施工することができる。また、施工された耐震パネルは開口部の一部のみが塞ぐのみであり、従って必要とする採光率を十分に確保できる。また、施工後の外観が劣化するのを最小限に抑えることができる等の利点が得られる。
なお、本実施の態様では、躯体フレームとの取り付け例について、在来工法、接着工法である枠付Ｋブレース工法のみならず、外付ブレース工法にも随時適用することができる。
【００４７】
（第３の実施例）
図１３は本発明に係る第３の実施例を示す耐震パネルの正面図、図１４は図１３のＩ−Ｉ線断面図、図１５は図１３のＪ−Ｊ線断面図、図１６は図１３のＫ−Ｋ線断面図、図１７は図１３に示す鉄骨ブレースの取付構造を示す要部の断面図、図１８は図１３のＬ−Ｌ線断面図である。
第３の実施態様に係る耐震パネルは、上記鉄骨ブレース２，２をセンタブラケット１０とコーナブラケツト８，９に連結するのを、各連結部に一対のピン付連結鋼板を配置して、記鉄骨ブレース２，２をセンタブラケット１０とコーナブラケツト８，９に連結する。この実施例の詳細は図７〜図１３に示す通りである。各図において、図１〜図６と同一部分は同一符号を付して説明を省略する。
【００４８】
第３の実施態様に係る耐震パネルは、図１３に示すように、矩形状の鉄骨枠１と、この鉄骨枠１に装着される鉄骨ブレース２，２と、この鉄骨ブレース２，２を支持するコーナブラケット８，９並びにセンタブラケット１０と、ピン付連結鋼板１８から構成される。鉄骨枠１は、施工する躯体フレームに装着する左右の各柱部材４，５と上下の梁部材６，７をほぼ矩形枠に連結した構造のもので、左右両端が溶接などの固着手段で連結されている。
この鉄骨枠１の上下方の梁部材のいずれかのコーナ部に配設されるコーナブラケット８，９とこのブラケット８，９に対向する上下方の梁部材６，７の中央部にセンタブラケット１０が配設される。この実施例では、左右の各柱部材４，５と上下の梁部材６，７は、略ｈ字状のＨ型鋼材に複数本のスタッド１１をほぼ等間隔に取り付けられている。
【００４９】
上方の梁部材６は、図１３，図１４に示すように、左右に２分された部材６ａ、６ｂからなり、これらがセンタブラケット１０を挟んで水平方向に連結されている。
センタブラケット１０は、上記各部材６ａ、６ｂが外側面に連結され、対応する２つの緩やかな凸型円弧面Ｐ，Ｐを形成した大形の略Ｕ字形鋼材１２で構成されている。略Ｕ字形鋼材１２の上部は、上記各部材６ａ、６ｂと同様にｈ字状をなすＨ型鋼材で構成される。なお、このセンタブラケット１０にも、前記Ｈ型鋼材に設けられたものと同様のスタッド１１が植設されている。
【００５０】
コーナブラケット８，９は、、図１，図３に示すように、下方の梁部材７の両端部と柱部材４，５の下端部にその外側面が溶着されている略Ｌ字型鋼材１３，１３で構成される。このＬ字型鋼材１３，１３はそれぞれ緩やかな凸型円弧面Ｇ，Ｇを形成し状態でそれぞれ溶着されている。コーナブラケット８，９の凸型円弧面Ｇ，Ｇとセンタブラケット１０の凸型円弧面Ｐ，Ｐとは、相意向対向して配置され、かつ対向して略同一の曲率面を形成している。また、鉄骨ブレース２，２の凹型円弧面Ｒ，Ｒ，Ｒ，Ｒもこれに対応する曲率を備えている。このため鉄骨ブレース２のコーナブラケット８，９またはセンタブラケット１０に対する接合位置を、相互に大きな隙間を生じることなく、略密接状態で当接することができる。これによって鉄骨ブレース２，２の調節または設定を容易にすることができる。なお、コーナブラケット８，９にも、前記Ｈ型鋼材に設けられたものと同様のスタッド１１が植設されている。
【００５１】
このような構成の鉄骨枠１は、補強を必要とする既設構築物の躯体フレームのサイズ、形状に合った柱部材４，５および梁部材６，７用の構成部材が選択されて、溶接などの固着手段によって連結され、全体として所定のサイズ、形状に組み付けられる。
【００５２】
次に、鉄骨ブレース２，２と各ブラケット８，９との接合は、図１３及び図１８に示すように、両端側に上記各ブラケット８，９の円弧状の各側面に対応する凹型曲面Ｒ，Ｒ，Ｒ，Ｒが形成されいる。この両者は、両端側の対向する円弧状の各側面Ｒ，Ｇ同士を突き合せて、ピン付連結鋼板１８を当接しピン１９で両者を固定する。ピン付連結鋼板１８はセンタブラケット１０とコーナブラケット８，９との間の角度に応じて、微調整し、上記各ブラケット８，９，１０の円弧状の凸型曲面と各側面鉄骨ブレース２の凹型曲面を突き合せてピン付連結鋼板で接合される。このため、施工現場で微調整できるので、詳細な設計図なしで施工工事がおこなえる。
【００５３】
従って、鉄骨ブレース２は梁部材６，７に対する結合角度を任意に調整できる。この結果、最適のブレース剛性が得られる結合角度にて鉄骨ブレース２，２の下端をコーナブラケット８，９のＬ字型鋼材１３，１３に接合した状態で固定することができる。また、曲面の接合なので構面の耐力を最大限に惹き出すことができる。特に、角筒型部材の下端面は、ブラケット８，９の緩やかな円弧状面Ｇと接触できる円弧面Ｒを略同一力率で形成し、Ｌ字状鋼材１３，１３の前記円弧面Ｇに対し略密接状態で位置調整され、適切な位置で溶接されている。
このように、第３の実施態様は、鉄骨ブレース２，２を耐座屈強度が極めて高い角筒型鋼材を中心として構成し、溶接におけるその長さ調整や傾き調整を、現場施工での簡単な溶接作業によって行う点に特徴を有する。
【００５４】
第３の実施態様に係る耐震パネルを、耐震補強に用いるには、まず、既設構造物の躯体フレームに適合する鉄骨枠１を準備する。この鉄骨枠１は、前記のように柱部材４，５や梁部材６にセンタブラケット１０やコーナブラケット８，９が装着される。これらのセンタブラケット１０やコーナブラケット８，９は、鉄骨枠１のサイズに対応して任意長の鉄骨ブレース２，２を最適の強度で取り付けるのに用いられる。
【００５５】
前記第３の実施形態では、センタブラケット１０の円弧状の凸曲面Ｐに、鉄骨ブレース２の凹曲面Ｒと共に傾きを調整できるようにしてあるため、梁部材６の角度に対応して、強度的に最適の長さ、傾きで鉄骨ブレース２，２の他端をコーナブラケット８，９に接合することができる。
【００５６】
また、前記実施の形態の耐震パネルを用いた耐震補強では、既存設計図にて施工契約した後に、耐震パネルの鉄骨枠を先行製作することによって、長さ調整可能な鉄骨ブレースの取り付けのみで短期納入を実現できる。従来の鉄骨ブレースに関しては、Ｈ型鋼材を中心とする設計が殆どであり、この場合には鉄骨ブレースの座屈防止部材を別途必要になる。
【００５７】
第３の実施の形態のように鉄骨ブレースとして角筒型ブレースを採用することで、別に座屈防止部材を用意しなくても十分な耐座屈強度を確保できる。また、鉄骨ブレースをＫ型ブレースとした場合には、パネル面の一部のみ塞がるため、採光率が悪化することがなく、また外観を大きく損ねることはない。
【００５８】
このように、第３の実施態様によれば、既設構造物の躯体フレームに沿うように据え付けられる鉄骨枠１と、該鉄骨枠１内に架設された角筒型鋼材からなる鉄骨ブレース２コンマ２とを備えることによって、詳細な設計図を準備しなくても、また設計図通りの施工でなくても、耐震パネルを既設構築物に対し簡単かつ短納期にて施工することができる。また、施工された耐震パネルは開口部の一部のみが塞ぐのみであり、従って必要とする採光率を十分に確保できる。また、施工後の外観が劣化するのを最小限に抑えることができる等の利点が得られる。
なお、本実施の態様では、躯体フレームとの取り付け例について、在来工法、接着工法である枠付Ｋブレース工法のみならず、外付ブレース工法にも随時適用することができる。
【００５９】
（第４の実施例）
図１９は本発明に係る第４の実施例を示す耐震パネルの正面図、図２０は図１９のＭ−Ｍ線断面図、図２１は図１９のＮ−Ｎ線断面図、図２２は図１９のＯ−Ｏ線断面図、図２３は図１９に示す鉄骨ブレースの取付構造を示す要部の断面図、図２４は図１９のＰ−Ｐ線断面図、図２５は図１９のＲ−Ｒ線断面図である。
第４の実施態様に係る耐震パネルは、上記鉄骨ブレース２，２をセンタブラケット１０とコーナブラケツト８，９に連結するのを、センタブラケット１０とコーナブラケツト８，９に十字継ぎ手２０，２１を配置すると共にこれに対向して鉄骨ブレース２，２の両端部に同形の十字継ぎ手２２をのを配置し、添え板２３を介して、記鉄骨ブレース２，２をセンタブラケット１０とコーナブラケツト８，９にボルト２４で連結する。この実施例の詳細は図１９〜図２５に示す通りである。各図において、図１〜図６と同一部分は同一符号を付している。
この第４の実施例に示す耐震パネルは、施工現場に体トンパネルを持参して施工工事を行うのに便利である。
【００６０】
第４の実施態様に係る耐震パネルは、図１９に示すように、矩形状の鉄骨枠１と、この鉄骨枠１に装着される鉄骨ブレース２，２と、この鉄骨ブレース２，２を支持するコーナブラケット８，９並びにセンタブラケット１０と、鉄骨ブレース２，２とセンタブラケット８，９，１０とを繋ぐ十字継ぎ手２０，２１と、十字継ぎ手２０，２１，２２同士を連結する添え板２３と、ボルト２４で構成される。
この鉄骨枠１は、、施工する躯体に装着する左右の各柱部材４，５と上下の梁部材６，７をほぼ矩形枠に連結した構造のもので、左右両端が溶接などの固着手段で連結されている。鉄骨枠１の上下方の梁部材のいずれかのコーナ部に配設されるコーナブラケット８，９とこのブラケット８，９に対向する上下方の梁部材６，７の中央部にセンタブラケット１０が配設される。この実施例では、左右の各柱部材４，５と上下の梁部材６，７は、略ｈ字状のＨ型鋼材に複数本のスタッド１１をほぼ等間隔に取り付けられている。
【００６１】
上方の梁部材６は、図１９，図２０に示すように、左右に２分された部材６ａ、６ｂからなり、これらがセンタブラケット１０を挟んで水平方向に連結されている。
センタブラケット１０は、上記各部材６ａ、６ｂが外側面が連結され、対応する２つの緩やかな凸型円弧面Ｐ，Ｐを形成した大形の略Ｕ字形鋼材１２で構成されている。略Ｕ字形鋼材１２の上部は、上記各部材６ａ、６ｂと同様にｈ字状をなすＨ型鋼材で構成される。なお、このセンタブラケット１０にも、前記Ｈ型鋼材に設けられたものと同様のスタッド１１が植設されている。
【００６２】
コーナブラケット８，９は、、図１，図３に示すように、下方の梁部材７の両端部と柱部材４，５の下端部にその外側面が溶着されている略Ｌ字型鋼材１３，１３で構成される。このＬ字型鋼材１３，１３はそれぞれ緩やかな凸型円弧面Ｇ，Ｇを形成し状態でそれぞれ溶着されている。ここでコーナブラケット８，９の凸型円弧面Ｇ，Ｇとセンタブラケット１０の凸型円弧面Ｐ，Ｐとは、相意向対向して配置され、かつ対向して略同一の曲率面を形成している。また、鉄骨ブレース２，２の凹型円弧面Ｒ，Ｒ，Ｒ，Ｒもこれに対応する曲率を備えている。このため鉄骨ブレース２，２のコーナブラケット８，９またはセンタブラケット１０に対する接合位置を、相互に大きな隙間を生じることなく、略密接状態で当接することができる。これによって鉄骨ブレース２，２の調節または設定を容易にすることができる。なお、コーナブラケット８，９にも、前記Ｈ型鋼材に設けられたものと同様のスタッド１１が植設されている。
【００６３】
この第４の実施態様の十字継ぎ手は、図１９乃至図２５に示すように、センタブラケット１０側に溶接などによって取着されている十字継ぎ手２０と、コーナブラケット８，９側に溶接などによって取着されている十字継ぎ手２１とで構成される。この両者の間を同形の十字型継ぎ手２２が鉄骨ブレース２，２の両端部に対向して配置されている。この十字継ぎ手２２，２２を継ぎ手２１に継ぎ手２０，２１の点線付近で突合せ添え板２３を夫々当てがいボルト２４で締め付ける。
【００６４】
次に、鉄骨ブレース２，２は、図１９及び図２４に示すように、鉄骨ブレースの両端側に上記各ブラケット８，９，１０の円弧状の各側面に対応する凹型曲面Ｒが形成され、いる。この両者は、両端側の対向する円弧状の各側面Ｒ，Ｇの十字継ぎ手２０，２１同士を突き合せ添え板２３，２３，２３を上下から当接しボルト２４，２４…によって固定される。十字継ぎ手２０，２１はセンタブラケット１０とコーナブラケット８，９との間の角度に応じて、微調整し、上記各ブラケット８，９，１０の円弧状の曲面と各側面鉄骨ブレース２の曲面を突き合せて溶接される。このため工事現場に分解して持参し、現場で組立ると共に微調整できるので、詳細な設計図なしで施工工事がおこなえる。
【００６５】
従って、鉄骨ブレース２は梁部材６，７に対する結合角度、長さを任意に調整できる。この結果、最適のブレース剛性が得られる結合角度にて鉄骨ブレース２の下端をコーナブラケット８，９のＬ字型鋼材１３，１３に接合固定することができる。また、構面の耐力を最大限に惹き出すことができる。特に、角筒型部材の下端面は、ブラケット８，９の緩やかな円弧状面Ｇと接触できる円弧面Ｒを略同一力率で形成し、Ｌ字状鋼材１３，１３の前記円弧面Ｇに対し略密接状態で位置調整され、適切な位置で溶接されている。
【００６６】
鉄骨ブレース２，２の両端側には、十字継ぎ手２２、２２のが溶接され、他方の十字継手２０，２１端の円弧面がセンタブラケット１０のＵ字型鋼材の円弧面Ｐの適当な位置に溶接されている。これらの十字継手２０、２１は施工現場で任意長のものを用いることが可能であり、それぞれを鉄骨ブレース２，２とセンタブラケット１０とを繋ぐのに用いられる。この繋ぎ作業では、図１９にも示すように、両十字継手２０，２１，２２に跨るように複数枚の添え板板２３，２３，…を当て、複数箇所でボルト２４，２４…により相互を連結することで、十分な耐座屈強度が得られる。
【００６７】
このように、第４の実施態様は、鉄骨ブレース２，２を耐座屈強度が極めて高い角筒型鋼材を中心として構成し、接合におけるその長さ調整や傾き調整を、現場施工での簡単な溶接作業によって行う点に特徴を有する。
【００６８】
本発明の耐震パネルを、耐震補強に用いるには、まず、既設構造物の躯体フレームに適合する鉄骨枠１を用意する。この鉄骨枠１は、前記のように柱部材４，５や梁部材６に十字継ぎ手付のセンタブラケット１０や十字継ぎ手付のコーナブラケット８，９が装着される。これらのセンタブラケット１０やコーナブラケット８，９は、鉄骨枠１のサイズに対応して任意長の鉄骨ブレース２，２を最適の強度で取り付けるのに用いられる。
【００６９】
前記第４の実施の形態では、センタブラケット１０の円弧状の凸曲面Ｐに、鉄骨ブレース２の凹曲面Ｒと共に傾きを調整できるようにしてあるため、これに対応する十字継ぎ手を取着し、梁部材６の角度に対応して、強度的に最適の長さ、傾きで鉄骨ブレース２，２の他端をコーナブラケット８，９に溶接することができる。
【００７０】
また、第４の実施形態の耐震パネルを用いた耐震補強では、既存設計図にて施工契約した後に、耐震パネルの鉄骨枠を先行製作することによって、長さ調整可能な鉄骨ブレースの取り付けのみで短期納入を実現できる。更に取付現場に持参することが可能である。従来の鉄骨ブレースに関しては、Ｈ型鋼材を中心とする設計が殆どであり、この場合には鉄骨ブレースの座屈防止部材を別途必要になる。
【００７１】
このように、第４の実施形態の耐震パネルは、鉄骨ブレース２、２を耐座屈強度が極めて高い角筒型鋼材を中心として構成し、建込みにおけるその長さ調整や傾き調整を、十字継手２３、２４による長さ調整によって行う点に特徴を有する。
【００７２】
また、鉄骨ブレース３の全長を、十字継手２０、２１によって任意に設定することができる。従って、ブレース３をセンタブラケット１０およびコーナブラケット８，９間に、これらの距離に応じた設定長で確実に連結できる。
【００７３】
第４の実施の形態のように鉄骨ブレースとして角筒型ブレースを採用することで、別に座屈防止部材を用意しなくても十分な耐座屈強度を確保できる。また、鉄骨ブレースをＫ型ブレースとした場合には、パネル面の一部のみ塞がるため、採光率が悪化することがなく、また外観を大きく損ねることはない。
【００７４】
このように、第４の実施の態様では、既設構造物の躯体フレームに沿うように据え付けられる鉄骨枠１と、該鉄骨枠１内に架設された角筒型鋼材からなる鉄骨ブレース２，２とを備えることによって、詳細な設計図を準備しなくても、また設計図通りの施工でなくても、耐震パネルを既設構築物に対し簡単かつ短納期にて施工することができる。特に工事現場への持参が可能である。また、施工された耐震パネルは開口部の一部のみが塞ぐのみであり、従って必要とする採光率を十分に確保できる。また、施工後の外観が劣化するのを最小限に抑えることができる等の利点が得られる。
なお、本実施の態様では、躯体フレームとの取り付け例について、在来工法、接着工法である枠付Ｋブレース工法のみならず、外付ブレース工法にも随時適用することができる。
【産業上の利用可能性】
【００７５】
本発明は、既設構造物の躯体フレームに対し鉄骨枠と角筒型鋼材からなる鉄骨ブレースを組み付けて耐震強度を高め、この耐震補強のために施工作業を複数の部材の結合パターンの選択によって、簡単かつ短納期にて実施する用途に適用できる。
【図面の簡単な説明】
【００７６】
【図１】本発明に係る第１の実施態様例を示す耐震パネルの正面図
【図２】図１のＡ−Ａ線断面図
【図３】図１のＢ−Ｂ線断面図
【図４】図１のＣ−Ｃ線断面図
【図５】図１に示す鉄骨ブレースの取付構造を示す要部の断面図
【図６】図１のＤ−Ｄ線断面図
【図７】本発明に係る第２の実施例を示す耐震パネルの正面図
【図８】図７のＥ−Ｅ線断面図
【図９】図７のＦ−Ｆ線断面図
【図１０】図７のＧ−Ｇ線断面図
【図１１】図７に示す鉄骨ブレースの取付構造を示す要部の断面図
【図１２】図１２は図７のＨ−Ｈ線断面図
【図１３】図１３は本発明に係る第３の実施例を示す耐震パネルの正面図
【図１４】図１３のＩ−Ｉ線断面図
【図１５】図１３のＪ−Ｊ線断面図
【図１６】図１３のＫ−Ｋ線断面図
【図１７】図１３に示す鉄骨ブレースの取付構造を示す要部の断面図
【図１８】図１３のＬ−Ｌ線断面図
【図１９】本発明に係る第４の実施例を示す耐震パネルの正面図
【図２０】図１９のＭ−Ｍ線断面図
【図２１】図１９のＮ−Ｎ線断面図
【図２２】図１９のＯ−Ｏ線断面図
【図２３】図１９に示す鉄骨ブレースの取付構造を示す要部の断面図
【図２４】図１９のＰ−Ｐ線断面図
【図２５】図１９のＲ−Ｒ線断面図
【符号の説明】
【００７７】
１…鉄骨枠、２…鉄骨ブレース、４，５…柱部材、６，７…梁部材、８，９…コーナブラケット、１０…センタブラケット、１７…連結鋼板、１８…ピン付連結鋼板、１９…ピン、２０，２1，２２…十字継手、２３…添え板、Ｐ，Ｇ…円弧面。
【図１】
2005171569.tif 000003
【図２】
2005171569.tif 000004
【図３】
2005171569.tif 000005
【図４】
2005171569.tif 000006
【図５】
2005171569.tif 000007
【図６】
2005171569.tif 000008
【図７】
2005171569.tif 000009
【図８】
2005171569.tif 000010
【図９】
2005171569.tif 000011
【図１０】
2005171569.tif 000012
【図１１】
2005171569.tif 000013
【図１２】
2005171569.tif 000014
【図１３】
2005171569.tif 000015
【図１４】
2005171569.tif 000016
【図１５】
2005171569.tif 000017
【図１６】
2005171569.tif 000018
【図１７】
2005171569.tif 000019
【図１８】
2005171569.tif 000020
【図１９】
2005171569.tif 000021
【図２０】
2005171569.tif 000022
【図２１】
2005171569.tif 000023
【図２２】
2005171569.tif 000024
【図２３】
2005171569.tif 000025
【図２４】
2005171569.tif 000026
【図２５】
2005171569.tif 000027